【手続補正書】
【提出日】平成17年8月8日(2005.8.8)
【手続補正１】
【補正対象書類名】明細書
【補正対象項目名】発明の名称
【補正方法】変更
【補正の内容】
【発明の名称】記録再生装置、インデックス管理方法、インデックス表示方法、および記録媒体
【手続補正２】
【補正対象書類名】明細書
【補正対象項目名】特許請求の範囲
【補正方法】変更
【補正の内容】
【特許請求の範囲】
【請求項１】
データおよび該データを管理する管理情報を記録媒体に記録するためのデータ記録手段と、
記録したデータの管理情報、代表画像、属性情報であるインデックス情報、および前記インデックス情報を管理するインデックス管理情報を記録するためのインデックス記録手段と、
記録したデータのインデックス管理情報を表示するための表示手段と、
インデックス管理情報を参照し、記録したデータを再生するための再生手段と、
記録したデータの位置情報を取得するための位置情報取得手段と、
データの先頭からの位置情報をインデックス情報に記録するための位置情報記録手段とを含むことを特徴とする記録再生装置。
【請求項２】
前記位置情報は、記録したデータファイルにおける再生開始時間からの時間情報であることを特徴とする請求項１記載の記録再生装置。
【請求項３】
前記位置情報は、記録したデータファイルにおけるデータの先頭からのデータ量であることを特徴とする請求項１記載の記録再生装置。
【請求項４】
前記インデックス情報に記録した位置情報に対応するインデックスデータを出力することを特徴とする請求項１記載の記録再生装置。
【請求項５】
前記インデックス情報に記録した位置情報を参照し、該位置情報に対応する元データから出力を開始することを特徴とする請求項１記載の記録再生装置。
【請求項６】
前記インデックス情報に格納するデータファイルの位置が再生開始時間またはデータの先頭である場合に、前記位置情報を「０」とすることを特徴とする請求項１〜５のうちいずれか１項記載の記録再生装置。
【請求項７】
前記インデックス情報は、仮想管理情報であることを特徴とする請求項１〜６のうちのいずれか１項記載の記録再生装置。
【請求項８】
前記位置情報に対応したデータファイルのデータを記録することを特徴とする請求項１〜６のうちのいずれか１項記載の記録再生装置。
【請求項９】
データおよび該データを管理する管理情報を記録媒体に記録するためのデータ記録手段と、
記録したデータの管理情報、代表画像、属性情報であるインデックス情報、および前記インデックス情報を管理するインデックス管理情報を記録するためのインデックス記録手段と、
記録したデータのインデックス管理情報を表示するための表示手段と、
インデックス管理情報を参照し、記録したデータを再生するための再生手段と、
記録したデータの位置情報を取得するための位置情報取得手段と、
データの先頭からの位置情報をデータファイルとインデックス情報に記録するための位置情報記録手段とを含むことを特徴とする記録再生装置。
【請求項１０】
前記インデックス情報に記録したデータファイルの任意の位置情報は、データファイル内に記録したデータファイルの任意の位置情報と、同じデータファイルの位置情報であることを特徴とする請求項９記載の記録再生装置。
【請求項１１】
前記インデックス情報の位置情報は、前記データファイルの位置情報と、独立した位置情報であることを特徴とする請求項９記載の記録再生装置。
【請求項１２】
前記インデックス情報の位置情報は、再生を停止した位置情報であることを特徴とする請求項９記載の記録再生装置。
【請求項１３】
前記インデックス情報に記録する各データファイルの任意の位置情報に対応したデータが各データファイルのデータ形式と異なることを特徴とする請求項９記載の記録再生装置。
【請求項１４】
追記型の記録媒体に記録した複数のデータファイルのインデックス情報を該記録媒体に記録するためのインデックス管理方法であって、
データファイルの任意の位置情報を前記インデックス情報に格納することを特徴とするインデックス管理方法。
【請求項１５】
記録媒体に記録した複数のデータファイルのインデックス情報を該記録媒体に記録するためのインデックス管理方法であって、
各データファイルの任意の位置情報を前記インデックス情報に格納することを特徴とするインデックス管理方法。
【請求項１６】
フォルダにより階層的に管理された複数のデータファイルのインデックス画像を管理する方法であって、
データファイルの任意の位置のインデックス画像をフォルダに格納することを特徴とするインデックス管理方法。
【請求項１７】
フォルダにより階層的に管理された複数のデータファイルのインデックス画像を表示する方法であって、
所定の階層に含まれるフォルダまたはファイルのインデックス画像と、データファイルの任意の位置のインデックス画像とを同時に表示することを特徴とするインデックス表示方法。
【請求項１８】
前記データファイルの任意の位置のインデックス画像は、複数記録されていることを特徴とする請求項１７記載のインデックス表示方法。
【請求項１９】
データファイルの任意の位置のインデックス画像が登録されているファイルを選択することで、登録されているデータファイルの任意の位置のインデックス画像を表示することを特徴とする請求項１７記載のインデックス表示方法。
【請求項２０】
複数のデータファイルのインデックス情報を記録するための記録媒体であって、
各データファイルの任意の位置情報をインデックス情報に記録したことを特徴とする記録媒体。
【手続補正３】
【補正対象書類名】明細書
【補正対象項目名】０００１
【補正方法】変更
【補正の内容】
【０００１】
【発明の属する技術分野】
本発明は、動画像、静止画像、音声などのデジタルデータを、光磁気ディスク、光ディスク、ハードディスクなどの磁気ディスク、または半導体メモリなどの記録媒体に記録するとともに、記録したデジタルデータの代表画像などのインデックス画面を表示し、インデックス画面から記録したデータを再生するための技術に関し、詳しくは、当該技術を用いた記録再生装置、インデックス管理方法、インデックス表示方法、および記録媒体に関する。
【手続補正４】
【補正対象書類名】明細書
【補正対象項目名】００２２
【補正方法】変更
【補正の内容】
【００２２】
本発明は、上述した事情に鑑みてなされたものであり、ブックマーク情報をインデックス管理情報で管理することにより、インデックス情報を参照するだけで、ユーザーが登録したブックマークを瞬時に表示して再生することが可能な記録再生装置、インデックス管理方法、インデックス表示方法、および記録媒体を提供することを目的とする。
【手続補正５】
【補正対象書類名】明細書
【補正対象項目名】００３６
【補正方法】変更
【補正の内容】
【００３６】
以下、図２および図３を参照して、本発明に係る記録再生装置、インデックス管理方法、インデックス表示方法、および記録媒体の具体的な構成の概略を説明する。
図２（１）および図２（２）は、本発明を適用した場合のインデックス画面の表示例を示す模式図である。
【手続補正６】
【補正対象書類名】明細書
【補正対象項目名】００４０
【補正方法】変更
【補正の内容】
【００４０】
【発明の実施の形態】
以下、図面を参照して、本発明に係る記録再生装置、インデックス管理方法、インデックス表示方法、および記録媒体の実施形態を詳細に説明する。
【手続補正７】
【補正対象書類名】明細書
【補正対象項目名】０１１４
【補正方法】変更
【補正の内容】
【０１１４】
【発明の効果】
以上説明したように、本発明に係る記録再生装置、インデックス管理方法、インデックス表示方法、および記録媒体によれば、ブックマーク情報をインデックス情報としてインデックス管理情報に記録するため、インデックス管理情報を参照するだけで所望のブックマーク表示を実現することができ、表示速度を向上することができる。